(57)【要約】【課題】    マグネットホルダーにおいては、ホワイトボードや冷蔵庫等の鉛直面に付け外しが容易であるが用紙を保持する確実な磁気吸着力や簡便な機能を備え、マグネットホルダーとして使用しないときは邪魔にならないようまとまったり、他の機能を有するようなものが求められている。【解決手段】  取っ手部（３）を鉛直面（１）に対して揺動させ鉛直面（１）と吸着部（２）の間に用紙を差し入れたり、吸着部（２）と（５）の間を少し離してから用紙をそこに差し入れたり、およそ沿い延びる取っ手部（３）と（６）の間に用紙を差し入れたりして、用紙を保持するような設計とする。【選択図】         図１
2019126971.tif 000002
【特許請求の範囲】
【請求項１】
所定の鉛直面に第１吸着部が磁気吸着するマグネットホルダーであって、
前記第１吸着部と、前記第１吸着部から延びる第１取っ手部と、を備える第１ホルダーと、
前記第１吸着部に重なり前記第１吸着部に磁気吸着する第２吸着部と、前記第２吸着部から前記第１取っ手部におよそ沿い延びる第２取っ手部と、を備える第２ホルダーと、
を具備し、
前記第１及び第２ホルダーは分離自在であり、分離され前記所定の鉛直面に前記第２吸着部が磁気吸着した状態で、前記第２取っ手部に輪状紐を掛けることが自在である、という特徴を有する
マグネットホルダー。
【請求項２】
所定の鉛直面に第１吸着部が磁気吸着するマグネットホルダーであって、
前記第１吸着部と、前記第１吸着部から延びる第１取っ手部と、案内形状と、を備える第１ホルダーと、
前記第１吸着部に重なり前記第１吸着部に磁気吸着する第２吸着部と、前記第２吸着部から延びる第２取っ手部と、を備え、前記案内形状に案内される第２ホルダーと、
を具備し、
前記第１及び第２取っ手部が互いに近づく又は遠ざかる方向に前記案内形状に案内されるように移動させることで、前記第１及び第２吸着部が互いに離れる方向に移動することを特徴とする、
マグネットホルダー。
【請求項３】
前記第１及び第２ホルダーは分離自在であり配置を逆転させても同様の特徴を有する、
請求項１又は請求項２に記載のマグネットホルダー。
【発明の詳細な説明】
【技術分野】
【０００１】
本発明は、マグネットホルダーに関する。
【背景技術】
【０００２】
マグネットホルダーにおいては、特許文献１の実施例のように鉄板等の磁性材料を用いたホワイトボード等の鉛直面に磁気吸着されるマグネットを備え、被吸着面とマグネットホルダーの間に用紙等の被挟持物を挟んで保持するようなものがよく知られている。また、特許文献１の使用例のように用紙の四隅に配置して、複数のマグネットホルダーによって用紙を被吸着面に保持するというような使い方が多い。
【０００３】
また、マグネットホルダーにおいては、特許文献２の実施例のように２枚のマグネットシートが互いに磁気吸着し重なる状態で一端部が曲げ戻し自在にとじられたような構造で、２枚のマグネットシートの間に用紙を差し入れて使うようなものが知られている。
【０００４】
また、マグネットホルダーにおいては、特許文献３の実施例のように２枚のゴムマグネットシートが互いに磁気吸着し重なる状態から相対揺動可能な構造で、２枚のゴムマグネットシートの間に用紙を差し入れて使うことができ、且つ一方のゴムマグネットシートの外側には輪状紐を掛けることができるようなフック部が設けられているようなアイデアが記載されている。
【先行技術文献】
【特許文献】
【０００５】
【特許文献１】実開平５−０９０５５６号公報
【特許文献２】特開２０１７−２２６０７６号公報
【特許文献３】特開２００７−１６７４２９号公報
【発明の概要】
【発明が解決しようとする課題】
【０００６】
マグネットホルダーにおいては、ホワイトボードや冷蔵庫等の鉛直面に付け外しが容易であるが用紙を保持する確実な磁気吸着力や簡便な機能を備え、マグネットホルダーとして使用しないときは邪魔にならないようまとまったり、他の機能を有するようなものが求められている。
また、マグネットホルダーにおいては、複数のマグネットホルダーを気兼ねなく使いたいものである。
【課題を解決するための手段】
【０００７】
本発明の実施形態図等を用いて以下に説明するが、これは本発明の内容をより把握しやすいようにする為で、添付の特許請求の範囲を縮小するものではない。
【０００８】
発明１に係るマグネットホルダーは、例えば図１及び２の組み、図３及び４の組み、図５及び６の組み、図７から９の組み、図１０の組み、のいずれかの組みのように、
所定の鉛直面１に吸着部２が磁気吸着するマグネットホルダーであって、
吸着部２と、吸着部２から延びる取っ手部３と、を備えるホルダー４と、
吸着部２に重なり吸着部２に磁気吸着する吸着部５と、吸着部５から取っ手部３におよそ沿い延びる取っ手部６と、を備えるホルダー７と、
を具備し、
ホルダー４及び７は例えば図２のように分離自在であり、分離され所定の鉛直面１に吸着部５が磁気吸着した状態で、取っ手部６に例えば輪ゴムのような輪状紐１７を掛けることが自在である、という特徴を有する
マグネットホルダーである。
【０００９】
発明２に係るマグネットホルダーは、例えば図１及び２の組み、図３及び４の組み、図５及び６の組み、図７から９の組み、図１０の組み、図１１の組み、のいずれかの組みのように、
所定の鉛直面１に吸着部２が磁気吸着するマグネットホルダーであって、
吸着部２と、吸着部２から延びる取っ手部３と、案内形状１２（１５）と、を備えるホルダー４と、
吸着部２に重なり吸着部２に磁気吸着する吸着部５と、吸着部５から延びる取っ手部６と、を備え、案内形状１２（１５）に案内されるホルダー７と、
を具備し、
取っ手部３及び６が例えば図７から８への変化のように互いに近づく方向に案内形状１２に案内されるように、又は例えば図３から４への変化、図５から６への変化、図８から９への変化のように互いに遠ざかる方向に案内形状１５に案内されるように移動させることで、吸着部２及び５が互いに離れる方向に移動することを特徴とする、
マグネットホルダーである。
【００１０】
発明３に係るマグネットホルダーは、発明１又は２のマグネットホルダーにおいて、例えば図１及び２の組み、図３及び４の組み、図５及び６の組み、図７から９の組み、図１０の組み、のいずれかの組みのように、
ホルダー４及び７は分離自在であり配置を逆転させても同様の特徴を有する、
マグネットホルダーである。
【発明の効果】
【００１１】
以上のように本発明では、取っ手部３又は６を指先で摘むことで鉛直面１への付け外しが容易であり、取っ手部３を鉛直面１に対して揺動させ鉛直面１と吸着部２の間に用紙を差し入れたり、吸着部２と５の間を少し離してから用紙をそこに差し入れたり、およそ沿い延びる取っ手部３と６の間に用紙を差し入れたりして、用紙を保持するような設計が容易となる。
【００１２】
また発明１では、本発明の効果に加えて、マグネットホルダー２個で用紙の上端左右を鉛直面１に保持したい場合はホルダー４と７を分離して使用し、厚手の用紙や重い物を保持したい場合は吸着部２及び５を重ねた状態で強い磁気吸着力を発生させて使用するというような使い分けができ、またホルダー４だけで事足りる場合はホルダー７の取っ手部６を輪ゴムフックのように使うというような設計が容易となる。
【００１３】
また発明２では、本発明の効果に加えて、案内形状１２（１５）に案内されるように取っ手部３及び６を操作することで、鉛直面１に吸着部２が磁気吸着した状態と鉛直面１から吸着部２を外した状態のどちらの状態でも容易に吸着部２と５の間を開けることができるような設計が容易となる。
【００１４】
また発明３では、本発明の効果に加えて、ホルダー４や７と同様なホルダーを買い足して使用したり、ホルダー４（７）を単品販売したりというような利便性が高くなり、破損などの気兼ねなく使用できるような設計が容易となる。
【図面の簡単な説明】
【００１５】
【図１】第１実施形態の吸着部２及び５を重ね鉛直面１に磁気吸着させた状態を第三角法で表した図
【図２】図１のホルダー４及び７を分離させ鉛直面１にそれぞれ磁気吸着させ取っ手部６に輪状紐１７を掛けた状態を第三角法で表した図
【図３】第２実施形態の吸着部２及び５を重ね鉛直面１に磁気吸着させた状態を第三角法で表した図
【図４】図３の吸着部２及び５の間を開けた状態を第三角法で表した図
【図５】第３実施形態の吸着部２及び５を重ね鉛直面１に磁気吸着させた状態を第三角法で表した図
【図６】図５の吸着部２及び５の間を開けた状態を第三角法で表した図
【図７】第４実施形態の吸着部２及び５を重ね鉛直面１に磁気吸着させた状態を第三角法で表した図
【図８】図７の吸着部２及び５の間を開けた状態を第三角法で表した図
【図９】図８の吸着部２及び５の間をさらに開けた状態を第三角法で表した図
【図１０】第５実施形態の吸着部２及び５を重ね鉛直面１に磁気吸着させた状態を第三角法で表した図
【図１１】第６実施形態の状態変化を表した図
【発明を実施するための形態】
【００１６】
本発明の第１実施形態を図１及び２に基づいて説明する。
【００１７】
図１右図のように、側方からみるとＶ字状のホルダー４及び７は同一形状であり、ホルダー４の吸着部２は板状で一端部１４から板状の取っ手部３が鉄製の鉛直面１に対して６０度の角度を有して延びている。またホルダー４は樹脂一体成形されており、吸着部２には円盤状のマグネット８が埋め込まれており、図１のように同一形状のホルダー７のマグネット９と重なった状態では図２のようにホルダー４及び７がそれぞれ単体で鉛直面１に磁気吸着する場合よりも強い磁気吸着力が発生しているが、吸着部２の一端部１４又は他端部１３を支点として取っ手部３を操作してやれば比較的楽に鉛直面１から吸着部２を離すことができる。また鉛直面１から離してもホルダー４及び７はマグネット８及び９が互いに磁気吸着しており、谷形状２０にホルダー７が嵌まり取っ手部３及び６が近づく方向すなわちマグネット８及び９が完全に重なる方向に付勢力が発生しているのでホルダー４及び７がよくまとまり、また取っ手部３及び６が互いに遠ざかる方向にスライドさせて吸着部２及び５に隙間を作る際に、この付勢力が取っ手部３の案内形状１５とそれに対面する取っ手部６の面１６の隙間ができないように安定させるのでスライド操作が容易になっている。またこの付勢力を利用して案内形状１５と面１６の間で用紙を挟持させることもできる。
また、図２はホルダー４及び７を分離してそれぞれ鉛直面１に磁気吸着させた状態であり、吸着部２と取っ手部６の内側の谷形状２０にはゴム製の輪状紐１７が掛けられている。
また図１のように分離する前の状態の方がマグネット８及び９が作用して磁気吸着力が強く且つ取っ手部３及び６が重なって剛性が高いので、重い物を掛けたい場合は分離せずに吸着部５と取っ手部６の内側に掛ければよいだろう。
また、ホルダー４及び７は同一形状で構造も同じなので、配置を逆転させても同様の特徴であるし、更に同一のホルダーを買い足せば３個、４個と重ねていくことが可能であり、当然ホルダー４単品で販売されてもよいだろう。
【００１８】
本発明の第２実施形態は第１実施形態と共通する部分が多いので、主に違いについて図３及び４に基づいて説明する。
【００１９】
取っ手部３の案内形状１５は凸形状を取っ手部３に沿うように押し出したような形状であり、この案内形状１５に取っ手部６の面１６が嵌合しており、図３の状態から図４の状態への変化のように取っ手部３及び６が互いに遠ざかる方向にスライドさせて吸着部２及び５に隙間を作る際により確実に案内されるようになっている。
また、凸形状を押し出したような案内形状１５によって取っ手部３は人間の指の長く延びた美しい爪のような形状であり、平板状の場合よりも同じ厚みでは剛性が高くなり、且つ輪状紐１７等の掛けられる物に対する当たりが優しい形状となっている。
【００２０】
本発明の第３実施形態は第１実施形態と共通する部分が多いので、主に違いについて図５及び６に基づいて説明する。
【００２１】
取っ手部３は鉛直面１に対しておよそ垂直に延びており、取っ手部３の案内形状１５は取っ手部３全体的に湾曲する形状でありこの湾曲面の中心である軸線１８は図５の状態で鉛直面１におよそ平行であり、この案内形状１５に取っ手部６の面１６が嵌合しており、図５の状態から図６の状態への変化のように取っ手部３及び６が互いに遠ざかる方向に軸線１８を中心に揺動するようスライドさせて吸着部２及び５に隙間を作ることができ、より確実に案内されるようになっている。
また、湾曲した取っ手部３と吸着部２の間の谷形状２０以外に、マグネット８を中心にホルダー４を１８０度回転させた状態で湾曲した取っ手部３の凹状部に輪状紐１７が掛けられるので、例えば用紙の上端を吸着部２及び５で挟んで鉛直面１に磁気吸着させた場合に、更にフックとして使えるようになっている。
【００２２】
本発明の第４実施形態は第３実施形態と共通する部分が多いので、主に違いについて図７から９に基づいて説明する。
【００２３】
図７のような吸着部２及び５が互いに磁気吸着した状態では取っ手部３及び６には隙間があり、取っ手部３と吸着部２の内側の谷形状の部分が案内形状１２となっており、この案内形状１２に嵌合するホルダー７が取っ手部３及び６が近づく方向に鉛直面１におよそ平行な軸線１９を中心に揺動するよう案内されることで図８のように吸着部２及び５が離れ隙間が生まれる。
また図８の状態から軸線１８を中心に第３実施形態と同様に揺動させると、図９のように更に吸着部２及び５の隙間が広がりより厚手の物を受け入れることが可能となる。
また、図７の状態で取っ手部３及び６の隙間に用紙を差し入れれば、用紙を湾曲させるような力が働くので用紙を保持可能であり、更に強い保持力が必要であればマグネット８及び９が発生させている付勢力に逆らうように用紙を差し込めばよい。
【００２４】
本発明の第５実施形態は第４実施形態と共通する部分が多いので、主に違いについて図１０に基づいて説明する。
【００２５】
取っ手部３の案内形状１５は取っ手部３全体的に湾曲する球面状でありこの球面の中心である点２１を軸線１８が通っている。
また取っ手部３はスプーンの器部分のような形状で中間部が幅方向に広がっており、対して取っ手部３と吸着部２の内側の谷形状の部分が細くなっているので、より確実に輪状紐を掛けておくことが可能となる。
【００２６】
本発明の第６実施形態は第４実施形態と共通する部分が多いので、主に違いについて図１１に基づいて説明する。
【００２７】
図１１左図のような吸着部２及び５が互いに磁気吸着した状態では取っ手部３及び６には隙間があり、取っ手部３と吸着部２の内側の谷形状の部分がホルダー７と一体に軸線１９に沿うように薄く成形され案内形状１２となっており、この案内形状１２が薄く曲がり易くなっていることで取っ手部３及び６が近づく方向に軸線１９を中心に揺動するよう案内し、図１１右図のように吸着部２及び５が離れ隙間が生まれる。ここでホルダー４及び７は分離自在ではないので更に隙間を広げられる構造ではない。
またホルダー４及び７は同一形状ではない。
また、図１１左図の状態で取っ手部３及び６の隙間に用紙を差し入れれば、用紙を湾曲させるような力が働くので用紙を保持可能であるが、更に強い保持力が必要であれば図１１右図の吸着部２及び５の隙間に用紙を差し入れて吸着部２及び５の磁気吸着力で挟持させればよい。
また図１１左図では取っ手部６の中央付近が鉛直面１に対しておよそ垂直であり、輪状紐を掛けることが可能であるが、より確実に掛けたい場合は取っ手部６及び吸着部５の内側の谷形状を深くすればよいだろう。
また、磁気吸着力は低下するが、マグネット８及び９の一方を着磁されていない鉄等の軟磁性材料の磁心に変更しても機能するだろう。
【符号の説明】
【００２８】
１.                                                    鉛直面
２,５.                                               吸着部
３,６.                                                取っ手部
４,７.                                               ホルダー
８,９.                                                マグネット
１０.                                                被吸着面
１１.                                                吸着面
１２,１５.                                        案内形状
１３.                                                他端部
１４.                                                一端部
１６.                                                面
１７.                                                輪状紐
１８,１９.                                       軸線
２０.                                                谷形状
２１.                                                点
【図１】
2019126971.tif 000003
【図２】
2019126971.tif 000004
【図３】
2019126971.tif 000005
【図４】
2019126971.tif 000006
【図５】
2019126971.tif 000007
【図６】
2019126971.tif 000008
【図７】
2019126971.tif 000009
【図８】
2019126971.tif 000010
【図９】
2019126971.tif 000011
【図１０】
2019126971.tif 000012
【図１１】
2019126971.tif 000013
【手続補正書】
【提出日】平成31年1月5日(2019.1.5)
【手続補正１】
【補正対象書類名】特許請求の範囲
【補正対象項目名】全文
【補正方法】変更
【補正の内容】
【特許請求の範囲】
【請求項１】
所定の鉛直面に第１吸着部が磁気吸着するマグネットホルダーであって、
前記第１吸着部と、前記第１吸着部から延びる第１取っ手部と、案内形状と、を備える第１ホルダーと、
前記第１吸着部に重なり前記第１吸着部に磁気吸着する第２吸着部と、前記第２吸着部から延びる第２取っ手部と、を備え、前記案内形状に案内される第２ホルダーと、
を具備し、
前記第２取っ手部が前記第１取っ手部に対して揺動自在に前記第１取っ手部の付け根付近の前記案内形状に案内されることで、又は、前記第２取っ手部が前記第１取っ手部に対してスライド自在に前記第１取っ手部の前記案内形状に案内されることで、前記第１及び第２吸着部の間に用紙等を差し入れ自在な隙間ができる方向に前記第２吸着部が移動可能であり、且つ前記第１及び第２ホルダーは分離自在であり、分離状態では前記所定の鉛直面にそれぞれ磁気吸着自在である、ことを特徴とする、
マグネットホルダー。
【請求項２】
前記第１及び第２ホルダーが重なった状態で、前記第２吸着部が前記第１吸着部上をスライドする方向に前記第１吸着部に磁気吸着することで、前記案内形状と前記案内形状に案内される前記第２ホルダーの被案内形状が近づく方向に働く付勢力を有する、
請求項１に記載のマグネットホルダー。
【請求項３】
前記第１及び第２ホルダーは配置を逆転させても同様の前記特徴を有する、
請求項１又は請求項２に記載のマグネットホルダー。
【手続補正２】
【補正対象書類名】明細書
【補正対象項目名】全文
【補正方法】変更
【補正の内容】
【発明の詳細な説明】
【技術分野】
【０００１】
本発明は、マグネットホルダーに関する。
【背景技術】
【０００２】
マグネットホルダーにおいては、特許文献１の実施例のように鉄板等の磁性材料を用いたホワイトボード等の鉛直面に磁気吸着されるマグネットを備え、被吸着面とマグネットホルダーの間に用紙等の被挟持物を挟んで保持するようなものがよく知られている。また、特許文献１の使用例のように用紙の四隅に配置して、複数のマグネットホルダーによって用紙を被吸着面に保持するというような使い方が多い。
【０００３】
また、マグネットホルダーにおいては、特許文献２の実施例のように２枚のマグネットシートが互いに磁気吸着し重なる状態で一端部が曲げ戻し自在にとじられたような構造で、２枚のマグネットシートの間に用紙を差し入れて使うようなものが知られている。
【０００４】
また、マグネットホルダーにおいては、特許文献３の実施例のように２枚のゴムマグネットシートが互いに磁気吸着し重なる状態から相対揺動可能な構造で、２枚のゴムマグネットシートの間に用紙を差し入れて使うことができ、且つ一方のゴムマグネットシートの外側には輪状紐を掛けることができるようなフック部が設けられているようなアイデアが記載されている。
【先行技術文献】
【特許文献】
【０００５】
【特許文献１】実開平５−０９０５５６号公報
【特許文献２】特開２０１７−２２６０７６号公報
【特許文献３】特開２００７−１６７４２９号公報
【発明の概要】
【発明が解決しようとする課題】
【０００６】
マグネットホルダーにおいては、ホワイトボードや冷蔵庫等の鉛直面に付け外しが容易であるが用紙を保持する確実な磁気吸着力や簡便な機能を備え、マグネットホルダーとして使用しないときは邪魔にならないようまとまったり、他の機能を有するようなものが求められている。
また、マグネットホルダーにおいては、複数のマグネットホルダーを気兼ねなく使いたいものである。
【課題を解決するための手段】
【０００７】
本発明の実施形態図等を用いて以下に説明するが、これは本発明の内容をより把握しやすいようにする為で、添付の特許請求の範囲を縮小するものではない。
【０００８】
発明１に係るマグネットホルダーは、例えば図１及び２の組み、図３及び４の組み、図５及び６の組み、図７から９の組み、図１０の組み、のいずれかの組みのように、
所定の鉛直面１に吸着部２が磁気吸着するマグネットホルダーであって、
吸着部２と、吸着部２から延びる取っ手部３と、案内形状１２（１５）と、を備えるホルダー４と、
吸着部２に重なり吸着部２に磁気吸着する吸着部５と、吸着部５から延びる取っ手部６と、を備え、案内形状１２（１５）に案内されるホルダー７と、
を具備し、
例えば図７から８への変化のように取っ手部６が取っ手部３に対して揺動自在に取っ手部３の付け根付近の案内形状１２に案内されることで、又は例えば図３から４への変化、図５から６への変化、図８から９への変化のように取っ手部６が取っ手部３に対してスライド自在に取っ手部３の案内形状１５に案内されることで、吸着部２及び５の間に用紙等を差し入れ自在な隙間ができる方向に吸着部５が移動可能であり、且つホルダー４及び７は分離自在であり、例えば図２のような分離状態では所定の鉛直面１にホルダー４及び７がそれぞれ磁気吸着自在である、ことを特徴とする、
マグネットホルダーである。
【０００９】
発明２に係るマグネットホルダーは、発明１のマグネットホルダーにおいて、例えば図１、３、５、７又は１０のように、
ホルダー４及び７が重なった状態で、吸着部５が吸着部２上をスライドする方向に吸着部２に磁気吸着することで、案内形状１２（１５）と案内形状１２（１５）に案内されるホルダー７の被案内形状が近づく方向に働く付勢力を有する、
マグネットホルダーである。
【００１０】
発明３に係るマグネットホルダーは、発明１又は２のマグネットホルダーにおいて、例えば図１及び２の組み、図３及び４の組み、図５及び６の組み、図７から９の組み、図１０の組み、のいずれかの組みのように、
ホルダー４及び７は配置を逆転させても同様の前記特徴を有する、
マグネットホルダーである。
【発明の効果】
【００１１】
以上のように本発明では、取っ手部３又は６を指先で摘むことで鉛直面１への付け外しが容易であり、取っ手部３を鉛直面１に対して揺動させ鉛直面１と吸着部２の間に用紙を差し入れたり、吸着部２と５の間を少し離してから用紙をそこに差し入れたり、およそ沿い延びる取っ手部３と６の間に用紙を差し入れたりして、用紙を保持するような設計が容易となる。
【００１２】
また発明１では、本発明の効果に加えて、マグネットホルダー２個で用紙の上端左右を鉛直面１に保持したい場合はホルダー４と７を分離して使用し、厚手の用紙や重い物を保持したい場合は吸着部２及び５を重ねた状態で強い磁気吸着力を発生させて使用するというような使い分けができ、またホルダー４だけで事足りる場合はホルダー７の取っ手部６を輪ゴムフックのように使うというような設計が容易となる。
また、案内形状１２（１５）に案内されるように取っ手部３及び６を操作することで、鉛直面１に吸着部２が磁気吸着した状態と鉛直面１から吸着部２を外した状態のどちらの状態でも容易に吸着部２と５の間を開けることができるような設計が容易となる。
【００１３】
また発明２では、本発明の効果に加えて、吸着部２及び５に隙間を作る際に、付勢力が案内形状１２（１５）とそれに対応する被案内形状の隙間ができないように安定させるので操作が容易になるというような設計が容易になる。
【００１４】
また発明３では、本発明の効果に加えて、ホルダー４や７と同様なホルダーを買い足して使用したり、ホルダー４（７）を単品販売したりというような利便性が高くなり、破損などの気兼ねなく使用できるような設計が容易となる。
【図面の簡単な説明】
【００１５】
【図１】第１実施形態の吸着部２及び５を重ね鉛直面１に磁気吸着させた状態を第三角法で表した図
【図２】図１のホルダー４及び７を分離させ鉛直面１にそれぞれ磁気吸着させ取っ手部６に輪状紐１７を掛けた状態を第三角法で表した図
【図３】第２実施形態の吸着部２及び５を重ね鉛直面１に磁気吸着させた状態を第三角法で表した図
【図４】図３の吸着部２及び５の間を開けた状態を第三角法で表した図
【図５】第３実施形態の吸着部２及び５を重ね鉛直面１に磁気吸着させた状態を第三角法で表した図
【図６】図５の吸着部２及び５の間を開けた状態を第三角法で表した図
【図７】第４実施形態の吸着部２及び５を重ね鉛直面１に磁気吸着させた状態を第三角法で表した図
【図８】図７の吸着部２及び５の間を開けた状態を第三角法で表した図
【図９】図８の吸着部２及び５の間をさらに開けた状態を第三角法で表した図
【図１０】第５実施形態の吸着部２及び５を重ね鉛直面１に磁気吸着させた状態を第三角法で表した図
【発明を実施するための形態】
【００１６】
本発明の第１実施形態を図１及び２に基づいて説明する。
【００１７】
図１右図のように、側方からみるとＶ字状のホルダー４及び７は同一形状であり、ホルダー４の吸着部２は板状で一端部１４から板状の取っ手部３が鉄製の鉛直面１に対して６０度の角度を有して延びている。またホルダー４は樹脂一体成形されており、吸着部２には円盤状のマグネット８が埋め込まれており、図１のように同一形状のホルダー７のマグネット９と重なった状態では図２のようにホルダー４及び７がそれぞれ単体で鉛直面１に磁気吸着する場合よりも強い磁気吸着力が発生しているが、吸着部２の一端部１４又は他端部１３を支点として取っ手部３を操作してやれば比較的楽に鉛直面１から吸着部２を離すことができる。また鉛直面１から離してもホルダー４及び７はマグネット８及び９が互いに磁気吸着しており、谷形状２０にホルダー７が嵌まり取っ手部３及び６が近づく方向すなわちマグネット８及び９が完全に重なる方向に付勢力が発生しているのでホルダー４及び７がよくまとまり、また取っ手部３及び６が互いに遠ざかる方向にスライドさせて吸着部２及び５に隙間を作る際に、この付勢力が取っ手部３の案内形状１５とそれに対面する取っ手部６の面１６の隙間ができないように安定させるのでスライド操作が容易になっている。またこの付勢力を利用して案内形状１５と面１６の間で用紙を挟持させることもできる。
また、図２はホルダー４及び７を分離してそれぞれ鉛直面１に磁気吸着させた状態であり、吸着部２と取っ手部６の内側の谷形状２０にはゴム製の輪状紐１７が掛けられている。
また図１のように分離する前の状態の方がマグネット８及び９が作用して磁気吸着力が強く且つ取っ手部３及び６が重なって剛性が高いので、重い物を掛けたい場合は分離せずに吸着部５と取っ手部６の内側に掛ければよいだろう。
また、ホルダー４及び７は同一形状で構造も同じなので、配置を逆転させても同様の特徴であるし、更に同一のホルダーを買い足せば３個、４個と重ねていくことが可能であり、当然ホルダー４単品で販売されてもよいだろう。
【００１８】
本発明の第２実施形態は第１実施形態と共通する部分が多いので、主に違いについて図３及び４に基づいて説明する。
【００１９】
取っ手部３の案内形状１５は凸形状を取っ手部３に沿うように押し出したような形状であり、この案内形状１５に取っ手部６の面１６が嵌合しており、図３の状態から図４の状態への変化のように取っ手部３及び６が互いに遠ざかる方向にスライドさせて吸着部２及び５に隙間を作る際により確実に案内されるようになっている。
また、凸形状を押し出したような案内形状１５によって取っ手部３は人間の指の長く延びた美しい爪のような形状であり、平板状の場合よりも同じ厚みでは剛性が高くなり、且つ輪状紐１７等の掛けられる物に対する当たりが優しい形状となっている。
【００２０】
本発明の第３実施形態は第１実施形態と共通する部分が多いので、主に違いについて図５及び６に基づいて説明する。
【００２１】
取っ手部３は鉛直面１に対しておよそ垂直に延びており、取っ手部３の案内形状１５は取っ手部３全体的に湾曲する形状でありこの湾曲面の中心である軸線１８は図５の状態で鉛直面１におよそ平行であり、この案内形状１５に取っ手部６の面１６が嵌合しており、図５の状態から図６の状態への変化のように取っ手部３及び６が互いに遠ざかる方向に軸線１８を中心に揺動するようスライドさせて吸着部２及び５に隙間を作ることができ、より確実に案内されるようになっている。
また、湾曲した取っ手部３と吸着部２の間の谷形状２０以外に、マグネット８を中心にホルダー４を１８０度回転させた状態で湾曲した取っ手部３の凹状部に輪状紐１７が掛けられるので、例えば用紙の上端を吸着部２及び５で挟んで鉛直面１に磁気吸着させた場合に、更にフックとして使えるようになっている。
【００２２】
本発明の第４実施形態は第３実施形態と共通する部分が多いので、主に違いについて図７から９に基づいて説明する。
【００２３】
図７のような吸着部２及び５が互いに磁気吸着した状態では取っ手部３及び６には隙間があり、取っ手部３と吸着部２の内側の谷形状の部分が案内形状１２となっており、この案内形状１２に嵌合するホルダー７が取っ手部３及び６が近づく方向に鉛直面１におよそ平行な軸線１９を中心に揺動するよう案内されることで図８のように吸着部２及び５が離れ隙間が生まれる。
また図８の状態から軸線１８を中心に第３実施形態と同様に揺動させると、図９のように更に吸着部２及び５の隙間が広がりより厚手の物を受け入れることが可能となる。
また、図７の状態で取っ手部３及び６の隙間に用紙を差し入れれば、用紙を湾曲させるような力が働くので用紙を保持可能であり、更に強い保持力が必要であればマグネット８及び９が発生させている付勢力に逆らうように用紙を差し込めばよい。
【００２４】
本発明の第５実施形態は第４実施形態と共通する部分が多いので、主に違いについて図１０に基づいて説明する。
【００２５】
取っ手部３の案内形状１５は取っ手部３全体的に湾曲する球面状でありこの球面の中心である点２１を軸線１８が通っている。
また取っ手部３はスプーンの器部分のような形状で中間部が幅方向に広がっており、対して取っ手部３と吸着部２の内側の谷形状の部分が細くなっているので、より確実に輪状紐を掛けておくことが可能となる。
【符号の説明】
【００２６】
１.                                                    鉛直面
２,５.                                               吸着部
３,６.                                               取っ手部
４,７.                                               ホルダー
８,９.                                               マグネット
１０.                                                被吸着面
１１.                                                吸着面
１２,１５.                                       案内形状
１３.                                                他端部
１４.                                                一端部
１６.                                                面
１７.                                                輪状紐
１８,１９.                                       軸線
２０.                                                谷形状
２１.                                                点
【手続補正３】
【補正対象書類名】図面
【補正対象項目名】全図
【補正方法】変更
【補正の内容】
【図１】
2019126971.tif 000014
【図２】
2019126971.tif 000015
【図３】
2019126971.tif 000016
【図４】
2019126971.tif 000017
【図５】
2019126971.tif 000018
【図６】
2019126971.tif 000019
【図７】
2019126971.tif 000020
【図８】
2019126971.tif 000021
【図９】
2019126971.tif 000022
【図１０】
2019126971.tif 000023